(57)【要約】【課題】テレビ番組についてのブログをより容易に作成できるテレビジョン放送視聴システム及びテレビジョン放送受信装置を提供する。【解決手段】視聴番組に関するブログを作成するためのブログ作成画面を表示する表示部１１と、視聴番組を特定する番組特定情報を記憶する履歴データファイル１５Ｃと、ＣＰＵ１３に、ＥＰＧデータから、番組特定情報により特定された視聴番組の所定の番組情報を取得させる番組情報取得プログラム１５Ｈと、取得した所定の番組情報をブログ作成画面の所定位置に表示させる表示制御プログラム１５Ｊと、ブログ作成画面の所定の感想欄に文字入力するためのリモコンＲと、ＣＰＵ１３に、リモコンＲにより入力欄に文字入力された情報と、表示部１１に表示された所定の番組情報とを含むブログデータを作成させるブログ作成プログラム１５Ｋと、作成したブログデータをサーバに送信させるアップロードプログラム１５Ｎと、を備えた。【選択図】図３
2008124861.tif 000002
【特許請求の範囲】
【請求項１】
テレビジョン放送波を受信する受信手段を備えるテレビジョン放送受信装置と、前記テレビジョン放送受信装置とネットワークを介して接続されるサーバと、を備えるテレビジョン放送視聴システムにおいて、
前記テレビジョン放送受信装置は、
視聴した番組に関するブログを作成するためのブログ作成画面を表示する表示手段と、
当該テレビジョン放送受信装置において視聴された視聴番組を特定する番組特定情報を記憶する記憶手段と、
テレビジョン放送波に含まれるＥＰＧデータから、前記記憶手段により記憶された番組特定情報により特定された視聴番組の所定の番組情報を取得する番組情報取得手段と、
前記番組情報取得手段により取得された所定の番組情報を前記ブログ作成画面の所定位置に表示させる表示制御手段と、
前記表示制御手段により前記所定の番組情報が表示された前記ブログ作成画面の所定の入力欄に文字入力するための入力手段と、
前記入力手段により前記所定の入力欄に文字入力された情報と、前記表示制御手段により表示された前記所定の番組情報とを含むブログデータを作成する作成手段と、
前記番組情報取得手段により取得された番組情報に基づいて、当該視聴番組に関連する単語を記憶する単語記憶手段と、
前記入力手段により文字入力された文字から始まる単語を前記単語記憶手段から抽出して、前記ブログ作成画面の一部に一覧表示させ、表示された単語が前記入力手段により選択されることにより文字入力される文字を特定する入力支援手段と、
当該テレビジョン放送受信装置において視聴するユーザを認証する認証手段と、
前記作成手段により作成されたブログデータを前記サーバに送信する送信手段と、
を備え、
前記作成手段は、テレビジョン放送波に含まれるＥＰＧデータから視聴番組が連続放送番組であるか否かを判断し、当該視聴番組が連続放送番組と判断した場合に、当該視聴番組の次回分を録画予約するための録画予約アイコンを表示するブログデータを作成するとともに、前記認証手段により認証されたユーザ毎に、ブログデータを作成し、
前記サーバは、
前記作成手段により作成され、前記送信手段によって送信されたブログデータを記憶するブログ記憶手段と、
前記ブログ記憶手段に記憶されたブログデータに基づくブログをネットワーク上に公開する公開手段と、
を備えることを特徴とするテレビジョン放送視聴システム。
【請求項２】
テレビジョン放送波を受信する受信手段を備え、ネットワークを介してサーバと接続されるテレビジョン放送受信装置において、
視聴した番組に関するブログを作成するためのブログ作成画面を表示する表示手段と、
当該テレビジョン放送受信装置において視聴された視聴番組を特定する番組特定情報を記憶する記憶手段と、
テレビジョン放送波に含まれるＥＰＧデータから、前記記憶手段により記憶された番組特定情報により特定された視聴番組の所定の番組情報を取得する番組情報取得手段と、
前記番組情報取得手段により取得された所定の番組情報を前記ブログ作成画面の所定位置に表示させる表示制御手段と、
前記表示制御手段により前記所定の番組情報が表示された前記ブログ作成画面の所定の入力欄に文字入力するための入力手段と、
前記入力手段により前記所定の入力欄に文字入力された情報と、前記表示制御手段により表示された前記所定の番組情報とを含むブログデータを作成する作成手段と、
前記作成手段により作成されたブログデータを前記サーバに送信する送信手段と、
を備えることを特徴とするテレビジョン放送受信装置。
【請求項３】
前記番組情報取得手段により取得された番組情報に基づいて、当該視聴番組に関連する単語を記憶する単語記憶手段と、
前記入力手段により文字入力された文字から始まる単語を前記単語記憶手段から抽出して、前記ブログ作成画面の一部に一覧表示させ、表示された単語が前記入力手段により選択されることにより文字入力される文字を特定する入力支援手段と、
を備えることを特徴とする請求項２に記載のテレビジョン放送受信装置。
【請求項４】
前記作成手段は、テレビジョン放送波に含まれるＥＰＧデータから視聴番組が連続放送番組であるか否かを判断し、当該視聴番組が連続放送番組と判断した場合に、当該視聴番組の次回分を録画予約するための録画予約アイコンを表示するブログデータを作成することを特徴とする請求項２又は３に記載のテレビジョン放送受信装置。
【請求項５】
当該テレビジョン放送受信装置において視聴するユーザを認証する認証手段を備え、
前記作成手段は、前記認証手段により認証されたユーザ毎に、ブログデータを作成することを特徴とする請求項２〜４の何れか一項に記載のテレビジョン放送受信装置。
【発明の詳細な説明】
【技術分野】
【０００１】
本発明は、テレビジョン放送視聴システム及びテレビジョン放送受信装置に関する。
【背景技術】
【０００２】
従来、テレビ番組について、視聴者が感想などを書き込んだり、他者の書き込みを閲覧できるとともに、該当シーンを再生できたり、当該番組の次回分の録画予約を行えるようになっている電子掲示板システムが知られている（例えば、特許文献１）。また、視聴中の番組について、視聴者がコメントを書き込むことができる電子掲示板システムも知られている（例えば、特許文献２）。
また、再生映像からシーンを取得し、当該シーンについてコメントを記入することができる再生装置も知られている（特許文献３）。
ところで、最近、所定のトピックについて日記風に独自の意見等をインターネット上のＨＰ等に掲載するブログ（blog，Weblog）が盛んになっており、テレビ番組についてのブログも多くなっている。
【特許文献１】特開２００４−０３０３２７号公報
【特許文献２】特開２００３−３３９００６号公報
【特許文献３】特開２００４−３５００９２号公報
【発明の開示】
【発明が解決しようとする課題】
【０００３】
しかしながら、テレビ番組の視聴者が、電子掲示板やブログ等に、出演者名や番組内容を記載する際、出演者名や番組内容を確かめながら入力しなければならない場合があり、面倒であるという問題がある。
【０００４】
本発明の課題は、テレビ番組についてのブログをより容易に作成できるテレビジョン放送視聴システム及びテレビジョン放送受信装置を提供することである。
【課題を解決するための手段】
【０００５】
請求項１に記載の発明は、テレビジョン放送波を受信する受信手段を備えるテレビジョン放送受信装置と、前記テレビジョン放送受信装置とネットワークを介して接続されるサーバと、を備えるテレビジョン放送視聴システムにおいて、
前記テレビジョン放送受信装置は、
視聴した番組に関するブログを作成するためのブログ作成画面を表示する表示手段と、
当該テレビジョン放送受信装置において視聴された視聴番組を特定する番組特定情報を記憶する記憶手段と、
テレビジョン放送波に含まれるＥＰＧデータから、前記記憶手段により記憶された番組特定情報により特定された視聴番組の所定の番組情報を取得する番組情報取得手段と、
前記番組情報取得手段により取得された所定の番組情報を前記ブログ作成画面の所定位置に表示させる表示制御手段と、
前記表示制御手段により前記所定の番組情報が表示された前記ブログ作成画面の所定の入力欄に文字入力するための入力手段と、
前記入力手段により前記所定の入力欄に文字入力された情報と、前記表示制御手段により表示された前記所定の番組情報とを含むブログデータを作成する作成手段と、
前記番組情報取得手段により取得された番組情報に基づいて、当該視聴番組に関連する単語を記憶する単語記憶手段と、
前記入力手段により文字入力された文字から始まる単語を前記単語記憶手段から抽出して、前記ブログ作成画面の一部に一覧表示させ、表示された単語が前記入力手段により選択されることにより文字入力される文字を特定する入力支援手段と、
当該テレビジョン放送受信装置において視聴するユーザを認証する認証手段と、
前記作成手段により作成されたブログデータを前記サーバに送信する送信手段と、
を備え、
前記作成手段は、テレビジョン放送波に含まれるＥＰＧデータから視聴番組が連続放送番組であるか否かを判断し、当該視聴番組が連続放送番組と判断した場合に、当該視聴番組の次回分を録画予約するための録画予約アイコンを表示するブログデータを作成するとともに、前記認証手段により認証されたユーザ毎に、ブログデータを作成し、
前記サーバは、
前記作成手段により作成され、前記送信手段によって送信されたブログデータを記憶するブログ記憶手段と、
前記ブログ記憶手段に記憶されたブログデータに基づくブログをネットワーク上に公開する公開手段と、
を備えることを特徴としている。
【０００６】
請求項２に記載の発明は、テレビジョン放送波を受信する受信手段を備え、ネットワークを介してサーバと接続されるテレビジョン放送受信装置において、
視聴した番組に関するブログを作成するためのブログ作成画面を表示する表示手段と、
当該テレビジョン放送受信装置において視聴された視聴番組を特定する番組特定情報を記憶する記憶手段と、
テレビジョン放送波に含まれるＥＰＧデータから、前記記憶手段により記憶された番組特定情報により特定された視聴番組の所定の番組情報を取得する番組情報取得手段と、
前記番組情報取得手段により取得された所定の番組情報を前記ブログ作成画面の所定位置に表示させる表示制御手段と、
前記表示制御手段により前記所定の番組情報が表示された前記ブログ作成画面の所定の入力欄に文字入力するための入力手段と、
前記入力手段により前記所定の入力欄に文字入力された情報と、前記表示制御手段により表示された前記所定の番組情報とを含むブログデータを作成する作成手段と、
前記作成手段により作成されたブログデータを前記サーバに送信する送信手段と、
を備えることを特徴としている。
【０００７】
請求項３に記載の発明は、請求項２に記載のテレビジョン放送受信装置において、
前記番組情報取得手段により取得された番組情報に基づいて、当該視聴番組に関連する単語を記憶する単語記憶手段と、
前記入力手段により文字入力された文字から始まる単語を前記単語記憶手段から抽出して、前記ブログ作成画面の一部に一覧表示させ、表示された単語が前記入力手段により選択されることにより文字入力される文字を特定する入力支援手段と、
を備えることを特徴としている。
【０００８】
請求項４に記載の発明は、請求項２又は３に記載のテレビジョン放送受信装置において、
前記作成手段は、テレビジョン放送波に含まれるＥＰＧデータから視聴番組が連続放送番組であるか否かを判断し、当該視聴番組が連続放送番組と判断した場合に、当該視聴番組の次回分を録画予約するための録画予約アイコンを表示するブログデータを作成することを特徴としている。
【０００９】
請求項５に記載の発明は、請求項２〜４の何れか一項に記載のテレビジョン放送受信装置において、
当該テレビジョン放送受信装置において視聴するユーザを認証する認証手段を備え、
前記作成手段は、前記認証手段により認証されたユーザ毎に、ブログデータを作成することを特徴としている。
【発明の効果】
【００１０】
請求項１に記載の発明によれば、表示手段により、視聴した番組に関するブログを作成するためのブログ作成画面が表示され、記憶手段により、当該テレビジョン放送受信装置において視聴された視聴番組を特定する番組特定情報が記憶され、番組情報取得手段により、テレビジョン放送波に含まれるＥＰＧデータから、記憶手段により記憶された番組特定情報により特定された視聴番組の所定の番組情報が取得され、表示制御手段により、番組情報取得手段によって取得された所定の番組情報がブログ作成画面の所定位置に表示され、入力手段により、表示制御手段によって所定の番組情報が表示されたブログ作成画面の所定の入力欄に文字入力され、作成手段により、入力手段によって所定の入力欄に文字入力された情報と、表示制御手段によって表示された所定の番組情報とを含むブログデータが作成され、送信手段により、作成手段によって作成されたブログデータがサーバに送信されるので、ＥＰＧデータから取得される所定の番組情報については、ブログ作成画面においてユーザが入力する必要がないとともに、ブログ作成画面に表示された番組情報を参照することにより、視聴者が容易に出演者名などを確認することができ、テレビ番組についてのブログをより容易に作成することができる。
【００１１】
また、単語記憶手段により、番組情報取得手段によって取得された番組情報に基づいて、当該視聴番組に関連する単語が記憶され、入力支援手段により、入力手段によって文字入力された文字から始まる単語が単語記憶手段から抽出されて、ブログ作成画面の一部に一覧表示され、表示された単語が入力手段によって選択されることにより文字入力される文字が特定されるので、視聴者が入力手段によって入力したい単語の最初の１乃至数文字を入力するだけで、当該単語が入力できることとなって、テレビ番組についてのブログをさらに容易に作成することができる。
【００１２】
また、作成手段により、テレビジョン放送波に含まれるＥＰＧデータから視聴番組が連続放送番組であるか否かが判断され、当該視聴番組が連続放送番組と判断された場合に、当該視聴番組の次回分を録画予約するための録画予約アイコンが表示されるブログデータが作成されるので、ブログを見た他の視聴者が当該テレビ番組を録画したい場合には、録画予約アイコンを押下するだけで、当該テレビ番組の録画予約ができることとなって、当該ブログの価値をより高めることができる。
【００１３】
また、認証手段により、当該テレビジョン放送受信装置において視聴するユーザが認証され、作成手段により、認証手段によって認証されたユーザ毎に、ブログデータが作成されるので、１台のテレビジョン放送受信装置が複数のユーザにより視聴されている場合であっても、それぞれユーザ個人のブログを作成することができることとなって、使い勝手が良い。
【００１４】
請求項２に記載の発明によれば、表示手段により、視聴した番組に関するブログを作成するためのブログ作成画面が表示され、記憶手段により、当該テレビジョン放送受信装置において視聴された視聴番組を特定する番組特定情報が記憶され、番組情報取得手段により、テレビジョン放送波に含まれるＥＰＧデータから、記憶手段により記憶された番組特定情報により特定された視聴番組の所定の番組情報が取得され、表示制御手段により、番組情報取得手段によって取得された所定の番組情報がブログ作成画面の所定位置に表示され、入力手段により、表示制御手段によって所定の番組情報が表示されたブログ作成画面の所定の入力欄に文字入力され、作成手段により、入力手段によって所定の入力欄に文字入力された情報と、表示制御手段によって表示された所定の番組情報とを含むブログデータが作成され、送信手段により、作成手段によって作成されたブログデータがサーバに送信されるので、ＥＰＧデータから取得される所定の番組情報については、ブログ作成画面においてユーザが入力する必要がないとともに、ブログ作成画面に表示された番組情報を参照することにより、視聴者が容易に出演者名などを確認することができ、テレビ番組についてのブログをより容易に作成することができる。
【００１５】
請求項３に記載の発明によれば、請求項２に記載の発明と同様の効果が得られることは勿論のこと、特に、単語記憶手段により、番組情報取得手段によって取得された番組情報に基づいて、当該視聴番組に関連する単語が記憶され、入力支援手段により、入力手段によって文字入力された文字から始まる単語が単語記憶手段から抽出されて、ブログ作成画面の一部に一覧表示され、表示された単語が入力手段によって選択されることにより文字入力される文字が特定されるので、視聴者が入力手段によって入力したい単語の最初の１乃至数文字を入力するだけで、当該単語が入力できることとなって、テレビ番組についてのブログをさらに容易に作成することができる。
【００１６】
請求項４に記載の発明によれば、請求項２又は３に記載の発明と同様の効果が得られることは勿論のこと、特に、作成手段により、テレビジョン放送波に含まれるＥＰＧデータから視聴番組が連続放送番組であるか否かが判断され、当該視聴番組が連続放送番組と判断された場合に、当該視聴番組の次回分を録画予約するための録画予約アイコンが表示されるブログデータが作成されるので、ブログを見た他の視聴者が当該テレビ番組を録画したい場合には、録画予約アイコンを押下するだけで、当該テレビ番組の録画予約ができることとなって、当該ブログの価値をより高めることができる。
【００１７】
請求項５に記載の発明によれば、請求項２〜４の何れか一項に記載の発明と同様の効果が得られることは勿論のこと、特に、認証手段により、当該テレビジョン放送受信装置において視聴するユーザが認証され、作成手段により、認証手段によって認証されたユーザ毎に、ブログデータが作成されるので、１台のテレビジョン放送受信装置が複数のユーザにより視聴されている場合であっても、それぞれユーザ個人のブログを作成することができることとなって、使い勝手が良い。
【発明を実施するための最良の形態】
【００１８】
以下、図を参照して、本発明に係るテレビジョン放送視聴システム及びテレビジョン放送受信装置を実施するための最良の形態を詳細に説明する。
【００１９】
まず、本発明に係るテレビジョン放送視聴システム１００の構成について図１を参照しながら説明する。本実施形態に係るテレビジョン放送視聴システム１００は、例えば、図１に示すように、サーバ２００，当該サーバ２００とネットワークＮを介して接続されるテレビジョン放送受信装置３００（図１では、ＴＶ３００）等を備えて構成されている。なお、ネットワークＮに接続されるサーバ２００及びテレビジョン放送受信装置３００の数は任意である。
ネットワークＮは、例えば、電話回線網、ＩＳＤＮ回線網、専用線、移動体通信網、通信衛星回線、ＣＡＴＶ回線網等の各種通信回線と、それらを接続するインターネットサービスプロバイダを含む。
【００２０】
サーバ２００は、例えば、図２に示すように、通信部１，ＣＰＵ（Central  Processing  Unit）２，ＲＡＭ（Random  Access  Memory）３，記憶部４等を備えて構成されている。
【００２１】
通信部１は、例えば、ネットワークＮを介して、サーバ２００とテレビジョン放送受信装置３００との間の通信を行う。
【００２２】
ＣＰＵ２は、例えば、記憶部４に格納された処理プログラム等を読み出して、ＲＡＭ３に展開して実行することにより、サーバ２００全体の制御を行う。
【００２３】
ＲＡＭ３は、ＣＰＵ２により実行された処理プログラム等を、ＲＡＭ３内のプログラム格納領域に展開するとともに、入力データや上記処理プログラムが実行される際に生じる処理結果等をデータ格納領域に格納する。
【００２４】
記憶部４は、例えば、プログラムやデータ等が予め記憶されている記録媒体（図示せず）を有しており、この記録媒体は、例えば、半導体メモリ等で構成されている。また、記憶部４は、ＣＰＵ２がサーバ２００全体を制御する機能を実現させるための各種データ，各種処理プログラム，これらプログラムの実行により処理されたデータ等を記憶する。より具体的には、記憶部４は、例えば、図２に示すように、ブログデータベース４Ａ，公開プログラム４Ｂ等を格納している。
【００２５】
ブログデータベース４Ａは、例えば、テレビジョン放送受信装置３００毎に作成されるブログデータを記憶している。記憶部４は、かかるブログデータベース４Ａを格納することにより、ブログ記憶手段として機能する。
【００２６】
公開プログラム４Ｂは、例えば、ＣＰＵ２に、ブログデータベース４Ａに記憶された各ブログデータに基づくブログをネットワークＮ上に公開する機能を実現させるプログラムである。
【００２７】
テレビジョン放送受信装置３００は、例えば、図３に示すように、通信部５，アンテナ６，チューナ部７，復調部８，デコーダ９，音出力部１０，表示部１１，リモコン受信回路１２，リモコンＲ，ＣＰＵ１３，ＲＡＭ１４，記憶部１５等を備えて構成されている。
【００２８】
通信部５は、例えば、ネットワークＮを介して、テレビジョン放送受信装置３００とサーバ２００との間の通信を行う。
【００２９】
アンテナ６は、例えば、パラボラアンテナやＵＨＦアンテナ等であり、地上波アナログ放送，地上波デジタル放送，ＢＳ・ＣＳ放送等のテレビジョン放送信号を含む放送波を受信し、地上波アナログ信号，地上波デジタル信号，ＢＳ・ＣＳ放送信号等のＲＦ信号をチューナ部７に出力する。なお、ＣＡＴＶ回線を介して放送波を受信する場合には、接続ケーブル（図示省略）等が備えられてもよい。これにより、アンテナ６は、受信手段として機能する。
【００３０】
チューナ部７は、ミキサ（図示省略），選局回路（図示省略），Ａ／Ｄ変換回路（図示省略）等を備えて構成され、ミキサ，選局回路等により、アンテナ６から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００３１】
復調部８は、例えば、チューナ部７から入力されるデジタルデータに復調処理等を行って、デコーダ９に出力する。
【００３２】
デコーダ９は、例えば、復調部８から入力されるデジタルデータに復号処理等を行って番組の映像音声データ（映像データ及び音声データ）を生成する。
【００３３】
音出力部１０は、例えば、スピーカ等を備えて構成され、デコーダ９から出力される音声データに基づく音声を出力する。
【００３４】
表示部１１は、例えば、ＬＣＤ（Liquid  Crystal  Display）やＰＤＰ（Plasma  Display  Panel）等を備えて構成され、デコーダ９から出力される映像データに基づく映像を表示する。より具体的には、表示部１１は、ＣＰＵ１３が後述する表示制御プログラム１５Ｊを実行することにより制御されて、ブログ作成画面Ａ１を表示し、表示手段として機能する。
【００３５】
リモコン受信回路１２は、例えば、リモコンＲから出力された操作信号をＣＰＵ１３に出力する。より具体的には、リモコン受信回路１２は、リモコンＲからの赤外線信号を電気信号に変換し、ＣＰＵ１３に出力する。
【００３６】
リモコンＲは、例えば、各種の操作信号を入力するための各種のキー等を備え、ユーザにより操作されることによって、各種の操作信号をリモコン受信回路１２を介してＣＰＵ１３に出力する。
より具体的には、リモコンＲは、例えば、ブログデータを作成する操作信号をＣＰＵ１３に出力する。
また、リモコンＲは、例えば、携帯電話機等のように、文字入力切替キー（図示省略）と、チャンネル選択等に用いられる数字キー（図示省略）とを備え、当該数字キーには、英字，ひらがな，カタカナが対応されており、文字入力切替キーと数字キーを用いて、文字入力ができるようになっている。そして、リモコンＲは、ブログ作成画面Ａ１の所定の感想欄Ａ７に文字入力を行い、入力手段として機能する。
なお、テレビジョン放送受信装置３００に、リモコン受信回路１２及びリモコンＲの代わりに、ＵＳＢ接続型のキーボード等が備えられてもよい。
【００３７】
ＣＰＵ１３は、例えば、記憶部１５に格納された処理プログラム等を読み出して、ＲＡＭ１４に展開して実行することにより、テレビジョン放送受信装置３００全体の制御を行う。
【００３８】
ＲＡＭ１４は、ＣＰＵ１３により実行された処理プログラム等を、ＲＡＭ１４内のプログラム格納領域に展開するとともに、入力データや上記処理プログラムが実行される際に生じる処理結果等をデータ格納領域に格納する。
【００３９】
記憶部１５は、例えば、プログラムやデータ等が予め記憶されている記録媒体（図示せず）を有しており、この記録媒体は、例えば、半導体メモリ等で構成されている。また、記憶部１５は、ＣＰＵ１３がテレビジョン放送受信装置３００全体を制御する機能を実現させるための各種データ，各種処理プログラム，これらプログラムの実行により処理されたデータ等を記憶する。より具体的には、記憶部１５は、例えば、図３に示すように、ブログデータファイル１５Ａ，ＥＰＧ（Electronic  Program  Guide）データファイル１５Ｂ，履歴データファイル１５Ｃ，単語データファイル１５Ｄ，認証プログラム１５Ｅ，天候データ取得プログラム１５Ｆ，履歴取得プログラム１５Ｇ，番組情報取得プログラム１５Ｈ，サムネイル取得プログラム１５Ｉ，表示制御プログラム１５Ｊ，ブログ作成プログラム１５Ｋ，あらすじ表示プログラム１５Ｌ，入力支援プログラム１５Ｍ，アップロードプログラム１５Ｎ等を格納している。
【００４０】
ブログデータファイル１５Ａは、例えば、当該テレビジョン放送受信装置３００において作成されたブログデータを記憶している。また、ブログデータファイル１５Ａは、当該テレビジョン放送受信装置３００に複数の視聴者がいる場合には、視聴者の認証情報と視聴者が作成したブログデータとを対応付けて記憶している。
【００４１】
ＥＰＧデータファイル１５Ｂは、例えば、テレビジョン放送信号に含まれるＥＰＧデータを記憶している。
【００４２】
履歴データファイル１５Ｃは、例えば、当該テレビジョン放送受信装置３００において視聴された視聴番組を特定する番組特定情報を記憶している。ここで、番組特定情報とは、視聴番組を特定できる情報であればなんであっても良く、例えば、番組名と視聴日時とが対応付けられた情報であってもよいし、視聴チャンネル及び視聴日時とが対応付けられた情報であってもよい。記憶部１５は、履歴データファイル１５Ｃを格納することにより、記憶手段として機能する。
【００４３】
単語データファイル１５Ｄは、例えば、ＣＰＵ１３が、番組情報取得プログラム１５Ｈを実行することにより取得した番組情報に基づいて、当該視聴番組に関連する単語を記憶している。より具体的には、単語データファイル１５Ｄは、例えば、ＣＰＵ１３が、番組情報取得プログラム１５Ｈを実行することにより取得した番組情報に含まれる単語を、当該視聴番組に関連する単語として、当該視聴番組を特定する番組特定情報と対応付けて記憶している。記憶部１５は、かかる単語データファイル１５Ｄを格納することにより、単語記憶手段として機能する。
【００４４】
認証プログラム１５Ｅは、例えば、ＣＰＵ１３に、当該テレビジョン放送受信装置３００においてテレビ番組を視聴するユーザを認証する機能を実現させるプログラムである。
より具体的には、認証プログラム１５Ｅは、例えば、ＣＰＵ１３に、ユーザから認証情報が入力された場合に、入力された認証情報が、ブログデータファイル１５Ａに予め記憶されている認証情報と一致する否かを判断し、一致する場合には、当該ユーザを一致した認証情報のユーザであると認証し、一致しない場合には、当該ユーザを新たなユーザとして認証する機能を実現させるプログラムである。
ここで、認証情報とは、例えば、リモコンＲから入力される暗証番号であってもよいし、リモコンＲに公知の指紋センサー等を設けて、当該指紋センサー等から入力される指紋情報であってもよいし、当該テレビジョン放送受信装置３００にデジタルカメラを設けて、当該デジタルカメラにより取得される顔写真から得られる生体情報等であってもよい。
ＣＰＵ１３は、かかる認証プログラム１５Ｅを実行することにより、認証手段として機能する。
【００４５】
天候データ取得プログラム１５Ｆは、例えば、ＣＰＵ１３に、テレビジョン放送波に含まれる文字放送データからテレビジョン放送受信装置３００が設置される地域の当日の天候データを取得する機能を実現させるプログラムである。
なお、天候データは、予め記憶した天気予報のホームページのＵＲＬにアクセスして、当該ホームページから取得されてもよい。
【００４６】
履歴取得プログラム１５Ｇは、例えば、ＣＰＵ１３に、履歴データファイル１５Ｃを参照して、当日の視聴番組を特定する番組特定情報を取得する機能を実現させるプログラムである。
【００４７】
番組情報取得プログラム１５Ｈは、例えば、ＣＰＵ１３に、ＥＰＧデータファイル１５Ｂを参照して、履歴データファイル１５Ｃに記憶された番組特定情報により特定された視聴番組の所定の番組情報を取得する機能を実現させるプログラムである。
具体的には、番組情報取得プログラム１５Ｈは、例えば、ＣＰＵ１３に、履歴取得プログラム１５Ｇを実行することにより、履歴データファイル１５Ｃから取得した番組特定情報により特定される番組の所定の番組情報をＥＰＧデータファイル１５Ｂから取得する機能を実現させるプログラムである。より具体的には、番組情報取得プログラム１５Ｈは、例えば、ＣＰＵ１３に、表示制御プログラム１５Ｊを実行することにより表示部１１により一覧表示された番組特定情報のうち、リモコンＲにより選択された番組特定情報により特定される番組の所定の番組情報をＥＰＧデータから取得する機能を実現させるプログラムである。ここで、所定の番組情報とは、例えば、番組の放送時刻，放送局名，番組名，番組の詳細情報等が含まれる。
ＣＰＵ１３は、かかる番組情報取得プログラム１５Ｈを実行することにより、番組情報取得手段として機能する。
【００４８】
サムネイル取得プログラム１５Ｉは、例えば、ＣＰＵ１３に、予め記憶した放送局のホームページのＵＲＬにアクセスして、当該ホームページに視聴番組に関するサムネイル画像が掲載されているか否かを判断し、サムネイル画像が掲載されていると判断した場合には、当該サムネイル画像データを取得する機能を実現させるプログラムである。
【００４９】
表示制御プログラム１５Ｊは、例えば、ＣＰＵ１３に、表示部１１を制御して、番組情報取得プログラム１５Ｈを実行することにより取得した所定の番組情報をブログ作成画面Ａ１の所定位置に表示させる機能を実現させるプログラムである。
より具体的には、表示制御プログラム１５Ｊは、例えば、ＣＰＵ１３に、表示部１１を制御して、天候データ取得プログラム１５Ｆを実行することにより取得した天候データ、番組情報取得プログラム１５Ｈを実行することにより取得した番組情報、サムネイル取得プログラム１５Ｉを実行することにより取得したサムネイル画像データ、所定の感想欄Ａ７等を所定の位置に表示するブログ作成画面Ａ１を表示させる機能を実現させるプログラムである。
また、表示制御プログラム１５Ｊは、例えば、ＣＰＵ１３に、表示部１１を制御して、履歴取得プログラム１５Ｇを実行することにより取得した番組特定情報を一覧表示させる機能を実現させるプログラムである。
ＣＰＵ１３は、かかる表示制御プログラム１５Ｊを実行することにより、表示制御手段として機能する。
【００５０】
ＣＰＵ１３が表示制御プログラム１５Ｊを実行することにより、表示部１１に表示させるブログ作成画面Ａ１の一例を図４に示す。
ブログ作成画面Ａ１では、例えば、図４に示すように、視聴日（放送日）Ａ２，天候Ａ３，視聴時間（放送時間）Ａ４，放送局名Ａ４，番組名Ａ４，サムネイル画像Ａ５，番組の詳細情報Ａ６，所定の入力欄としての感想欄Ａ７，録画予約アイコン（録画予約ボタン）Ａ８，リンクアイコン（図４における、Ａさんの感想，Ｂさんの感想）Ａ９等が所定の位置に表示されている。また、ブログ作成画面Ａ１の隣には、当該視聴番組のあらすじＡ１０が表示されるようになっている。
【００５１】
ブログ作成プログラム１５Ｋは、例えば、ＣＰＵ１３に、表示制御プログラム１５Ｊを実行することにより表示部１１に表示したブログ作成画面Ａ１において表示される感想欄Ａ７にリモコンＲにより入力される情報と、当該ブログ作成画面Ａ１の所定の位置に表示された所定の番組情報とを含むブログデータを作成し、作成したユーザの認証情報と当該ブログデータとを対応付けてブログデータファイル１５Ａに記憶させる機能を実現させるプログラムである。
より具体的には、ブログ作成プログラム１５Ｋは、ＣＰＵ１３に、天候データ取得プログラム１５Ｆを実行することにより取得した天候データ、番組情報取得プログラム１５Ｈを実行することにより取得した番組情報、サムネイル取得プログラム１５Ｉを実行することにより取得したサムネイル画像データ、感想欄Ａ７等を所定の位置に表示するブログ作成画面Ａ１を表示するためのブログデータを作成する機能を実現させるプログラムである。
また、ブログ作成プログラム１５Ｋは、例えば、ＣＰＵ１３に、テレビジョン放送波に含まれるＥＰＧデータから視聴番組が連続放送番組であるか否かを判断し、当該視聴番組が連続放送番組であると判断した場合に、当該視聴番組の次回分を録画予約するための録画予約アイコンＡ８を所定の位置に表示するブログ作成画面Ａ１を表示するためのブログデータを作成する機能を実現させるプログラムである。
また、ブログ作成プログラム１５Ｋは、例えば、ＣＰＵ１３に、ユーザが、ネットワークＮを介して、当該視聴番組と同じ視聴番組に関するブログに接続し、リモコンＲから、当該ブログのＵＲＬ等のブログ特定情報を指定して、リンクを作成する操作信号が入力された場合に、当該ＵＲＬ等のブログ特定情報を指定するためのリンクアイコンＡ９を所定位置に表示するブログ作成画面Ａ１を表示するためのブログデータを作成する機能を実現させるプログラムである。
ＣＰＵ１３は、かかるブログ作成プログラム１５Ｋを実行することにより、作成手段として機能する。
【００５２】
あらすじ表示プログラム１５Ｌは、例えば、ＣＰＵ１３に、番組情報取得プログラム１５Ｈを実行することにより取得した番組情報から視聴番組のあらすじデータを取得し、表示部１１を制御して、ブログ作成画面Ａ１の隣に視聴番組のあらすじＡ１０を表示させる機能を実現させるプログラムである。
【００５３】
入力支援プログラム１５Ｍは、例えば、ＣＰＵ１３に、リモコンＲにより入力された文字から始まる単語を単語データファイル１５Ｄから抽出して、ブログ作成画面Ａ１の一部に一覧表示させ、表示された単語がリモコンＲにより選択されることにより入力される単語を特定する機能を実現させるプログラムである。
より具体的には、例えば、図４に示すように、リモコンＲから「おか」と入力された場合に、ＣＰＵ１３は、入力支援プログラム１５Ｍを実行することにより、「おか」の文字から始まる単語を単語データファイル１５Ｄから抽出して、表示部１１を制御して、抽出した単語（例えば、「オカピ」、「岡村」、「岡田」）をブログ作成画面Ａ１の一部に一覧表示させ、リモコンＲにより選択された単語を入力する単語として特定する。
また、入力支援プログラム１５Ｍは、例えば、ＣＰＵ１３に、番組情報取得プログラム１５Ｈを実行することにより取得した番組情報に含まれる単語を、当該視聴番組に関連する単語として、当該視聴番組を特定する番組特定情報と対応付けて、単語データファイル１５Ｄに記憶させる機能を実現させるプログラムである。
ＣＰＵ１３は、かかる入力支援プログラム１５Ｍを実行することにより、入力支援手段として機能する。
【００５４】
アップロードプログラム１５Ｎは、例えば、ＣＰＵ１３に、リモコンＲからブログの作成を完了する操作信号が入力された場合に、ブログ作成プログラム１５Ｋを実行することにより作成したブログデータをサーバ２００に送信し、サーバ２００のブログデータベース４Ａに記憶させることにより、ブログデータをアップロードする機能を実現させるプログラムである。ＣＰＵ１３は、かかるアップロードプログラム１５Ｎを実行することにより、送信手段として機能する。
【００５５】
次に、上述のような構成のテレビジョン放送視聴システム１００及びテレビジョン放送受信装置３００におけるブログ作成動作について図５，図６に示すフローチャートを参照しながら説明する。
まず、リモコンＲにより、ブログを作成する操作信号が入力されると（ステップＳ１）、ＣＰＵ１３は、認証プログラム１５Ｅを実行することにより、ユーザから入力される認証情報が、ブログデータファイル１５Ａに予め記憶されている認証情報と一致するか否かを判断し、一致する場合には、当該ユーザを一致した認証情報のユーザであると認証し、一致しない場合には、当該ユーザを新たなユーザとして認証する（ステップＳ２）。
【００５６】
次に、ＣＰＵ１３は、天候データ取得プログラム１５Ｆを実行することにより、テレビジョン放送波に含まれる文字放送データからテレビジョン放送受信装置３００が設置される地域の当日の天候データを取得する（ステップＳ３）。
【００５７】
次に、ＣＰＵ１３は、履歴取得プログラム１５Ｇを実行することにより、履歴データファイル１５Ｃを参照して、当日の視聴番組を特定する番組特定情報を取得する（ステップＳ４）。
【００５８】
次に、ＣＰＵ１３は、表示制御プログラム１５Ｊを実行することにより、表示部１１を制御して、履歴取得プログラム１５Ｇを実行することにより取得した番組特定情報を一覧表示させる（ステップＳ５）。
【００５９】
次に、表示部１１に一覧表示された番組特定情報のうち、ユーザによりリモコンＲが操作されることにより所望の番組特定情報が選択されると（ステップＳ６）、ＣＰＵ１３は、番組情報取得プログラム１５Ｈを実行することにより、ＥＰＧデータファイル１５Ｂを参照して、ステップＳ６において選択された番組特定情報により特定された視聴番組の所定の番組情報を取得する（ステップＳ７）。
【００６０】
次に、ＣＰＵ１３は、サムネイル取得プログラム１５Ｉを実行することにより、予め記憶した放送局のホームページのＵＲＬにアクセスして、当該ホームページに、ステップＳ６において選択された番組特定情報により特定される視聴番組に関するサムネイル画像が掲載されているか否かを判断する（ステップＳ８）。
【００６１】
ステップＳ８において、ＣＰＵ１３が、サムネイル画像が掲載されていないと判断した場合には（ステップＳ８；Ｎｏ）、ステップＳ１０に進む。
ステップＳ８において、ＣＰＵ１３が、サムネイル画像が掲載されていると判断した場合には（ステップＳ８；Ｙｅｓ）、ＣＰＵ１３は、当該サムネイル画像データを取得する（ステップＳ９）。
【００６２】
次に、ＣＰＵ１３は、ブログ作成プログラム１５Ｋを実行することにより、テレビジョン放送波に含まれるＥＰＧデータに基づいて、当該一の視聴番組が連続放送番組であるか否かを判断する（ステップＳ１０）。
【００６３】
ステップＳ１０において、ＣＰＵ１３が、当該一の視聴番組が連続放送番組ではないと判断した場合には（ステップＳ１０；Ｎｏ）、ステップＳ１２に進む。
ステップＳ１０において、ＣＰＵ１３が、当該一の視聴番組が連続放送番組であると判断した場合には（ステップＳ１０；Ｙｅｓ）、ＣＰＵ１３は、当該一の視聴番組の次回分を録画予約するための録画予約アイコンＡ８を所定の位置に表示するブログ作成画面Ａ１を表示するためのブログデータを作成する（ステップＳ１１）。
【００６４】
次に、ＣＰＵ１３は、入力支援プログラム１５Ｍを実行することにより、ステップＳ７において取得した番組情報に含まれる単語を、当該視聴番組に関連する単語として、当該視聴番組を特定する番組特定情報と対応付けて、単語データファイル１５Ｄに記憶させる（ステップＳ１２）。
【００６５】
次に、ＣＰＵ１３は、表示制御プログラム１５Ｊを実行することにより、表示部１１を制御して、ブログ作成画面Ａ１を表示させるとともに、あらすじ表示プログラム１５Ｌを実行することにより、ブログ作成画面Ａ１の隣にあらすじＡ１０を表示させる（ステップＳ１３）。
【００６６】
次に、リモコンＲから文字入力が行われると（ステップＳ１４）、ＣＰＵ１３は、入力支援プログラム１５Ｍを実行することにより、リモコンＲにより入力された文字から始まる単語を単語データファイル１５Ｄから抽出して、ブログ作成画面Ａ１の一部に一覧表示させる（ステップＳ１５）。
【００６７】
次に、リモコンＲにより一覧表示された単語の中から一の単語が選択されると（ステップＳ１６）、ＣＰＵ１３は、入力支援プログラム１５Ｍの実行に基づいて、当該単語を入力される単語として特定し、当該単語を所定の感想欄Ａ７に入力する（ステップＳ１７）。
【００６８】
次に、ＣＰＵ１３は、リモコンＲから、ブログ作成画面Ａ１の対象である視聴番組と同じ視聴番組に関する他のブログのＵＲＬ等のブログ特定情報を指定して、リンクを作成する操作信号が入力されたか否かを判断する（ステップＳ１８）。
【００６９】
ステップＳ１８において、ＣＰＵ１３が、リモコンＲから他のブログのＵＲＬ等のブログ特定情報を指定して、リンクを作成する操作信号が入力されていないと判断した場合には（ステップＳ１８；Ｎｏ）、ステップＳ２０に進む。
ステップＳ１８において、ＣＰＵ１３が、リモコンＲから他のブログのＵＲＬ等のブログ特定情報を指定して、リンクを作成する操作信号が入力されたと判断した場合には（ステップＳ１８；Ｙｅｓ）、ＣＰＵ１３は、ブログ作成プログラム１５Ｋを実行することにより、当該ＵＲＬ等のブログ特定情報を指定するためのリンクアイコンＡ９を所定位置に表示するブログ作成画面Ａ１を表示するためのブログデータを作成する（ステップＳ１９）。
【００７０】
次に、リモコンＲからブログの作成を完了する操作信号が入力されると（ステップＳ２０）、ＣＰＵ１３は、アップロードプログラム１５Ｎを実行することにより、作成したブログデータをサーバ２００に送信し、サーバ２００のブログデータベース４Ａに記憶させることにより、ブログデータをアップロードして（ステップＳ２１）、本処理を終了する。
【００７１】
以上に説明した本発明の実施形態に係るテレビジョン放送視聴システム１００及びテレビジョン放送受信装置３００によれば、表示部１１により、視聴した番組に関するブログを作成するためのブログ作成画面Ａ１が表示され、履歴データファイル１５Ｃにより、当該テレビジョン放送受信装置３００において視聴された視聴番組を特定する番組特定情報が記憶され、ＣＰＵ１３が番組情報取得プログラム１５Ｈを実行することにより、テレビジョン放送波に含まれるＥＰＧデータから、履歴データファイル１５Ｃにより記憶された番組特定情報により特定された視聴番組の所定の番組情報が取得され、ＣＰＵ１３が表示制御プログラム１５Ｊを実行することにより、番組情報取得プログラム１５Ｈを実行することによって取得した所定の番組情報がブログ作成画面Ａ１の所定位置に表示され、リモコンＲにより、ＣＰＵ１３が表示制御プログラム１５Ｊを実行することによって所定の番組情報が表示されたブログ作成画面Ａ１の所定の感想欄Ａ７に文字入力され、ＣＰＵ１３がブログ作成プログラム１５Ｋを実行することにより、リモコンＲによって所定の感想欄Ａ７に文字入力された情報と、表示部１１に表示された所定の番組情報とを含むブログデータが作成され、ＣＰＵ１３がアップロードプログラム１５Ｎを実行することにより、ブログ作成プログラム１５Ｋを実行することによって作成したブログデータがサーバ２００に送信されるので、ＥＰＧデータから取得される所定の番組情報については、ブログ作成画面Ａ１においてユーザが入力する必要がないとともに、ブログ作成画面Ａ１に表示された番組情報を参照することにより、視聴者が容易に出演者名などを確認することができ、テレビ番組についてのブログをより容易に作成することができる。
【００７２】
また、単語データファイル１５Ｄにより、ＣＰＵ１３が番組情報取得プログラム１５Ｈを実行することによって取得した番組情報に基づいて、当該視聴番組に関連する単語が記憶され、ＣＰＵ１３が入力支援プログラム１５Ｍを実行することにより、リモコンＲによって文字入力された文字から始まる単語が単語データファイル１５Ｄから抽出されて、ブログ作成画面Ａ１の一部に一覧表示され、表示された単語がリモコンによって選択されることにより文字入力される文字が特定されるので、視聴者がリモコンＲによって入力したい単語の最初の一乃至数文字を入力するだけで、当該単語が入力できることとなって、テレビ番組についてのブログをさらに容易に作成することができる。
【００７３】
また、ＣＰＵ１３がブログ作成プログラム１５Ｋを実行することにより、テレビジョン放送波に含まれるＥＰＧデータから視聴番組が連続放送番組であるか否かが判断され、当該視聴番組が連続放送番組と判断された場合に、当該視聴番組の次回分を録画予約するための録画予約アイコンＡ８が表示されるブログデータが作成されるので、ブログを見た他の視聴者が当該テレビ番組を録画したい場合には、録画予約アイコンＡ８を押下するだけで、当該テレビ番組の録画予約ができることとなって、当該ブログの価値をより高めることができる。
【００７４】
また、ＣＰＵ１３が認証プログラム１５Ｅを実行することにより、当該テレビジョン放送受信装置３００において視聴するユーザが認証され、ＣＰＵ１３がブログ作成プログラム１５Ｋを実行することにより、認証プログラム１５Ｅを実行することによって認証されたユーザ毎に、ブログデータが作成されるので、１台のテレビジョン放送受信装置３００が複数のユーザにより視聴されている場合であっても、それぞれユーザ個人のブログを作成することができることとなって、使い勝手が良い。
【００７５】
なお、本実施形態では、ブログ作成画面Ａ１に、天候Ａ３，サムネイル画像Ａ５，録画予約アイコンＡ８，リンクアイコンＡ９が表示されることとしたが、必ずしも必須ではない。
また、ブログ作成画面Ａ１の隣にあらすじＡ１０が表示されることとしたが、ブログ作成画面Ａ１と同一画面上であればどこに表示されても良い。また、あらすじＡ１０の表示は必須ではない。
また、ブログ作成画面Ａ１における感想欄Ａ７への入力の際に、入力支援が行われることとしたが、入力支援が行われなくてもよい。
また、テレビジョン放送受信装置３００は、ネットワークに接続され、且つ、テレビジョン放送を受信するものであればなんであってもよく、デジタルテレビの他、セットトップボックス、パソコン等を備えた構成であってもよい。
また、サムネイル画像データは、視聴中の映像データから抽出して予め記憶しておいてもよい。
また、ブログデータファイル１５Ａは、記憶部１５に必ずしも格納されていなくともよい。
【図面の簡単な説明】
【００７６】
【図１】本発明に係るテレビジョン放送視聴システムの概略構成を示す図である。
【図２】本発明に係るサーバの構成の一例を示すブロック図である。
【図３】本発明に係るテレビジョン放送受信装置の構成の一例を示すブロック図である。
【図４】本発明に係るブログ作成画面の一例を説明する図である。
【図５】本発明に係るテレビジョン放送視聴システム及びテレビジョン放送受信装置におけるブログ作成動作の一例を説明するフローチャートである。
【図６】本発明に係るテレビジョン放送視聴システム及びテレビジョン放送受信装置におけるブログ作成動作の一例を説明するフローチャートである。
【符号の説明】
【００７７】
６  アンテナ（受信手段）
１１  表示部（表示手段）
１３  ＣＰＵ（レイティングテーブル取得手段，バージョン比較手段，項目比較手段，レベル比較手段，情報比較手段，更新手段，表示制御手段）
４  記憶部（ブログ記憶手段）
４Ａ  ブログデータベース（ブログ記憶手段）
１３  ＣＰＵ（番組情報取得手段，表示制御手段，作成手段，入力支援手段，認証手段，送信手段）
１５  記憶部（記憶手段，単語記憶手段，）
１５Ｃ  履歴データファイル（記憶手段）
１５Ｄ  単語データファイル（単語記憶手段）
１５Ｅ  認証プログラム（認証手段）
１５Ｈ  番組情報取得プログラム（番組情報取得手段）
１５Ｊ  表示制御プログラム（表示制御手段）
１５Ｋ  ブログ作成プログラム（作成手段）
１５Ｍ  入力支援プログラム（入力支援手段）
１５Ｎ  アップロードプログラム（送信手段）
１００  テレビジョン放送視聴システム
２００  サーバ
３００  テレビジョン放送受信装置
Ｒ  リモコン（入力手段）
Ａ１  ブログ作成画面
Ａ８  録画予約アイコン
【図１】
2008124861.tif 000003
【図２】
2008124861.tif 000004
【図３】
2008124861.tif 000005
【図４】
2008124861.tif 000006
【図５】
2008124861.tif 000007
【図６】
2008124861.tif 000008